(57)【要約】【課題】  簡単な構造で、アンテナを機器本体にコンパクトに組み込むことができるアンテナ構造を提供する。【解決手段】  機器本体１と、この機器本体１にほぼ環状に設けられたパッキン配置溝１５と、このパッキン配置溝１５に配置されたパッキン１６と、このパッキン１６と共にパッキン配置溝１５に配置されてループ形状をなすアンテナ１７とを備えている。従って、機器本体１にほぼ環状に設けられたパッキン配置溝１５に、パッキン１６と共にアンテナ１７を配置することができるので、構造が簡単で、アンテナ１７を機器本体１にコンパクトに組み込むことができる。【選択図】        図４
2011151447.tif 000002
【特許請求の範囲】
【請求項１】
機器本体と、
この機器本体にほぼ環状に設けられたパッキン配置部と、
このパッキン配置部に配置されたパッキンと、
このパッキンと共に前記パッキン配置部に配置されてループ形状をなすアンテナと
を備えていることを特徴とするアンテナ構造。
【請求項２】
機器本体と、
この機器本体にほぼ環状に設けられたパッキン配置部と、
このパッキン配置部に配置されたパッキンと、
このパッキンに設けられ、前記パッキンと共にループ形状をなすアンテナと
を備えていることを特徴とするアンテナ構造。
【請求項３】
前記アンテナは前記パッキンの内部に埋設されていることを特徴とする請求項２に記載のアンテナ構造。
【請求項４】
前記アンテナは前記パッキンの外面に設けられていることを特徴とする請求項２に記載のアンテナ構造。
【請求項５】
前記アンテナは線材であることを特徴とする請求項１〜請求項３のいずれかに記載のアンテナ構造。
【請求項６】
前記アンテナはフレキシブルな帯状のフィルムにその長手方向に沿って金属パターンを線状に形成した構成であることを特徴とする請求項１〜請求項４のいずれかに記載のアンテナ構造。
【請求項７】
機器本体と、
この機器本体にほぼ環状に設けられたパッキン配置部と、
このパッキン配置部に配置されたアンテナ機能を有するパッキンと
を備えていることを特徴とするアンテナ構造。
【請求項８】
前記パッキンは絶縁性を有するエラストマ樹脂中に導電性物質を混入させた構成であることを特徴とする請求項７に記載のアンテナ構造。
【発明の詳細な説明】
【技術分野】
【０００１】
この発明は、携帯情報端末機（ＰＤＡ：パーソナル・デジタル・アシスタント）、携帯電話機、パーソナルコンピュータなどの電子機器に用いられるアンテナ構造に関する。
【背景技術】
【０００２】
従来、携帯情報端末機などの電子機器においては、特許文献１に記載されているように、機器本体に窓部となる開口部が設けられたアンテナ枠を開閉自在に取り付け、このアンテナ枠の開口部における内周部にアンテナをループ形状に設けた構成のものが知られている。
【先行技術文献】
【特許文献】
【０００３】
【特許文献１】特開２００５−６４７９９号公報
【０００４】
この種の電子機器では、アンテナ枠を機器本体に対して開くと、アンテナ枠に設けられたアンテナが機器本体に搭載された電子部品から離れ、この状態でアンテナに無線式ＩＤ（ＲＦＩＤ）などのデータキャリアが近づけられると、データキャリアに発生した電磁誘導を感知し、このデータキャリアとの間で送受信してデータの授受を行うように構成されている。
【０００５】
この場合、無線式ＩＤ（ＲＦＩＤ）などのデータキャリアとは、非接触型の自動認識機能を搭載したものであり、機器本体の読取・書込装置に近づけると、電磁誘導が発生することにより、機器本体との間で送受信を行ってデータの授受を行うように構成されている。このようなデータキャリアとしては、例えば、タグ、無線式ＩＤ（ＲＦＩＤ）、非接触型ＩＣカードなどである。
【発明の概要】
【発明が解決しようとする課題】
【０００６】
しかしながら、このような従来の電子機器では、アンテナをアンテナ枠に設け、このアンテナ枠を機器本体に開閉可能に取り付けた構成であるから、アンテナに無線式ＩＤ（ＲＦＩＤ）などのデータキャリアが近づいて電磁誘導を感知し、このデータキャリアとの間で送受信する際に、電磁誘導による機器本体内の電子部品に対する影響を軽減することができても、機器本体に対するアンテナ枠の取付構造が複雑で、アンテナを機器本体内の電子回路と電気的に接続するための接続作業が面倒であるばかりか、部品点数が多くなり、機器全体の小型化を図ることができないという問題がある。
【０００７】
この発明が解決しようとする課題は、簡単な構造で、アンテナを機器本体にコンパクトに組み込むことができるアンテナ構造を提供することである。
【課題を解決するための手段】
【０００８】
この発明は、上記課題を解決するために、次のような構成要素を備えている。
請求項１に記載の発明は、機器本体と、この機器本体にほぼ環状に設けられたパッキン配置部と、このパッキン配置部に配置されたパッキンと、このパッキンと共に前記パッキン配置部に配置されてループ形状をなすアンテナとを備えていることを特徴とするアンテナ構造である。
【０００９】
請求項２に記載の発明は、機器本体と、この機器本体にほぼ環状に設けられたパッキン配置部と、このパッキン配置部に配置されたパッキンと、このパッキンに設けられ、前記パッキンと共にループ形状をなすアンテナとを備えていることを特徴とするアンテナ構造である。
【００１０】
請求項３に記載の発明は、前記アンテナが前記パッキンの内部に埋設されていることを特徴とする請求項２に記載のアンテナ構造である。
【００１１】
請求項４に記載の発明は、前記アンテナが前記パッキンの外面に設けられていることを特徴とする請求項２に記載のアンテナ構造である。
【００１２】
請求項５に記載の発明は、前記アンテナが線材であることを特徴とする請求項１〜請求項３のいずれかに記載のアンテナ構造である。
【００１３】
請求項６に記載の発明は、前記アンテナがフレキシブルな帯状のフィルムにその長手方向に沿って金属パターンを線状に形成した構成であることを特徴とする請求項１〜請求項４のいずれかに記載のアンテナ構造である。
【００１４】
請求項７に記載の発明は、機器本体と、この機器本体にほぼ環状に設けられたパッキン配置部と、このパッキン配置部に配置されたアンテナ機能を有するパッキンとを備えていることを特徴とするアンテナ構造である。
【００１５】
請求項８に記載の発明は、前記パッキンが絶縁性を有するエラストマ樹脂中に導電性物質を混入させた構成であることを特徴とする請求項７に記載のアンテナ構造である。
【発明の効果】
【００１６】
この発明によれば、機器本体にほぼ環状に設けられたパッキン配置部に、パッキンと共にアンテナを配置することができるので、構造が簡単で、アンテナを機器本体にコンパクトに組み込むことができる。
【図面の簡単な説明】
【００１７】
【図１】この発明を適用した携帯情報端末機の実施形態１を示した斜視図である。
【図２】図１に示された携帯情報端末機においてプリンタ装置の記録紙カバーを開いた状態を示した斜視図である。
【図３】図２に示された携帯情報端末機においてパッキン配置溝からパッキンおよびアンテナを取り外した状態を示した要部の分解斜視図である。
【図４】図１に示されたＡ−Ａ矢視における要部の拡大断面図である。
【図５】図２に示されたＡ部を破断して示した拡大斜視図である。
【図６】図５に示されたＢ−Ｂ矢視における要部の拡大断面図である。
【図７】図５に示されたＣ−Ｃ矢視における要部の拡大断面図である。
【図８】図４に示されたＢ部における断面を示し、（ａ）はプリンタカバーの押圧突起部によってパッキンが押圧される前の状態を示した拡大断面図、（ｂ）はプリンタカバーの押圧突起部によってパッキンが押圧されて弾性変形した状態を示した拡大断面図である。
【図９】この発明を適用した携帯情報端末機の実施形態２においてパッキン配置溝内にパッキンとアンテナとが配置された一部分を破断して示した要部の拡大斜視図である。
【図１０】図９に示されたアンテナの一部を示した拡大斜視図である。
【図１１】図９に示されたＤ−Ｄ矢視における要部の拡大断面図である。
【図１２】図９に示されたＥ−Ｅ矢視における要部の拡大断面図である。
【図１３】図９に示されたＤ−Ｄ矢視における断面を示し、（ａ）は記録紙カバーの押圧突起部によってパッキンが押圧される前の状態を示した拡大断面図、（ｂ）は記録紙カバーの押圧突起部によってパッキンが押圧されて弾性変形した状態を示した拡大断面図である。
【図１４】この発明を適用した携帯情報端末機の実施形態３においてパッキン配置溝内にパッキンとアンテナとが配置された一部分を破断して示した要部の拡大斜視図である。
【図１５】図１４に示されたアンテナの一部を示した拡大斜視図である。
【図１６】図１４に示されたＦ−Ｆ矢視における要部の拡大断面図である。
【図１７】図１４に示されたＧ−Ｇ矢視における要部の拡大断面図である。
【図１８】図１５に示されたアンテナをパッキン内に埋設する製造工程を断面で示し、（ａ）は下側パッキン部を断面半楕円形状に形成した状態を示した拡大断面図、（ｂ）は下側パッキン部にアンテナを配置して逆向きの断面半楕円形状の上側パッキン部を形成して、全体が断面楕円形状のパッキンを形成した状態を示した拡大断面図である。
【図１９】図１４に示されたＦ−Ｆ矢視における断面を示し、（ａ）は記録紙カバーの押圧突起部によってパッキンが押圧される前の状態を示した拡大断面図、（ｂ）は記録紙カバーの押圧突起部によってパッキンが押圧されて弾性変形した状態を示した拡大断面図である。
【図２０】実施形態３の第１変形例においてアンテナをパッキン内に埋設する製造工程を断面で示し、（ａ）は下側パッキン部を断面半楕円形状に形成した状態を示した拡大断面図、（ｂ）は下側パッキン部にアンテナを配置して逆向きの断面半楕円形状の上側パッキン部を形成して、全体が断面楕円形状のパッキンを形成した状態を示した拡大断面図である。
【図２１】実施形態３の第２変形例においてアンテナをパッキン内に埋設する製造工程を断面で示し、（ａ）はパッキンを断面楕円形状に形成した状態を示した拡大断面図、（ｂ）は断面半楕円形状のパッキンの外面にアンテナを配置した状態を示した拡大断面図である。
【図２２】この発明を適用した携帯情報端末機の実施形態４においてパッキン配置溝内にパッキンとアンテナとが配置された一部分を破断して示した要部の拡大斜視図である。
【図２３】図２２に示されたアンテナの一部を示した拡大斜視図である。
【図２４】図２２に示されたＨ−Ｈ矢視における断面を示し、（ａ）は記録紙カバーの押圧突起部によってパッキンが押圧される前の状態を示した拡大断面図、（ｂ）は記録紙カバーの押圧突起部によってパッキンが押圧されて弾性変形した状態を示した拡大断面図である。
【図２５】この発明を適用した携帯情報端末機の実施形態５において機器本体の裏面を示した斜視図である。
【図２６】図２５に示されたＩ−Ｉ矢視における要部の拡大断面図である。
【図２７】図２６における要部を示し、（ａ）は電池蓋によってパッキンが押圧される前の状態を示した拡大断面図、（ｂ）は電池蓋によってパッキンが押圧されて弾性変形した状態を示した拡大断面図である。
【図２８】この発明を適用した携帯情報端末機の実施形態６において機器本体を示した斜視図である。
【図２９】図２８に示されたＪ−Ｊ矢視における要部の拡大断面図である。
【図３０】図２８に示されたＪ−Ｊ矢視における断面を示し、（ａ）は下部ケースの押圧突起部によってパッキンが押圧される前の状態を示した拡大断面図、（ｂ）は下部ケースの押圧突起部によってパッキンが押圧されて弾性変形した状態を示した拡大断面図である。
【発明を実施するための形態】
【００１８】
（実施形態１）
以下、図１〜図８を参照して、この発明を携帯情報端末機に適用した実施形態１について説明する。
この携帯情報端末機は、図１に示すように、機器本体１を備えている。この機器本体１は、上部ケース２と下部ケース３とからなり、全体がほぼ長方形の箱形状に形成されている。この機器本体１は、図１に示すように、表示部４および入力部５を備えているほか、プリンタ装置６を備えている。
【００１９】
表示部４は、図１〜図３に示すように、機器本体１の上部ケース２におけるほぼ中央部に設けられている。この表示部４は、液晶表示パネル、ＥＬ（エレクトロルミネッセンス）表示パネルなどの平面型の表示パネルであり、入力部５で入力された情報、およびその演算処理結果などの情報を電気光学的に表示するように構成されている。
【００２０】
入力部５は、図１〜図３に示すように、機器本体１の上部ケース２における表示部４の前部側（図１では手前側）に位置する箇所に設けられている。この入力部５は、文字キー、テンキー、カーソルキー、ファンクションキーなどの各種のキーを備え、これらのキーを押圧操作することにより、そのキー操作に応じて情報を入力するように構成されている。
【００２１】
プリンタ装置６は、図１および図２に示すように、機器本体１における表示部４の後部側（図１では上辺部側）に位置する箇所に設けられている。このプリンタ装置６は、図１〜図４に示すように、プリンタ本体部７と記録紙収納部８とを備えている。記録紙収納部８は、図４に示すように、ロール状に巻かれた記録紙９を収納するためのものであり、機器本体１の後部側（図４では右側）に位置する箇所に設けられている。
【００２２】
すなわち、この記録紙収納部８は、図４に示すように、機器本体１の後部側（図４では右側）に位置する箇所に設けられた凹部の空間部８ａを有し、この空間部８ａがほぼ半円筒状の記録紙カバー１０によって開閉可能に覆われるように構成されている。プリンタ本体部７は、記録紙収納部８に収納されて引き出された記録紙９に情報を印字するためのものであり、記録紙収納部８の前側（図４では左側）に連続する箇所における機器本体１の内部の前部側（図４では左側）に設けられている。
【００２３】
この場合、機器本体１の後部に位置する箇所における上部ケース２の後端部２ａは、図２〜図４に示すように、下部ケース３の後端部３ａから記録紙収納部８の空間部８ａを隔てた位置に設けられている。この上部ケース２の後端部２ａは、下部ケース３内に向けて下側に折り曲げられ、この折り曲げられた下部が下部ケース３内の上面に沿って記録紙収納部８の空間部８ａ内に向けて延び、この延びた先端部（図４では右端下部）が下部ケース３内の上面に接合されるように構成されている。
【００２４】
これにより、機器本体１の後部に位置する箇所は、図２〜図４に示すように、機器本体１の上方に開放されている。この場合、下部ケース３の後端部３ａ上には、記録紙カバー１０がヒンジ軸１１によって上下方向に回転可能に取り付けられている。この記録紙カバー１０の前端部（図４では左端部）の下面には、プリンタ本体部７の後端面（図４では右端面）に接近して配置されるプラテンローラ１２が設けられている。
【００２５】
また、上部ケース２の上端部２ａには、図２〜図４に示すように、プリンタ本体部７を覆い隠すためのプリンタカバー１３が設けられている。このプリンタカバー１３は、平板状に形成され、この平板状の後端部（図４では右端部）が記録紙カバー１０の前端部（図４では左端ｂ）に接近するように構成されている。この接近したプリンタカバー１３の後端部には、印字された記録紙９を切断するための記録紙カッタ１４が設けられている。
【００２６】
これにより、プリンタ装置６は、図４に示すように、記録紙収納部８の空間部８ａ内に記録紙９を収納した状態で、ヒンジ軸１１を中心に記録紙カバー１０を回転させて閉じると、この記録紙カバー１０の前端部がプリンタカバー１３の記録紙カッタ１４に所定の隙間をもって接近すると共に、記録紙カバー１０のプラテンローラ１２がプリンタ本体部７に接近して配置されるように構成されている。
【００２７】
また、このプリンタ装置６は、図４に示すように、記録紙収納部８内に収納された記録紙９の先端部９ａがプリンタ７とプラテンローラ１２との間に挿入され、この挿入された記録紙９の先端部９ａが記録紙カバー１０の前端部とプリンタカバー１３の記録紙カッタ１４との間に配置された状態で、プラテンローラ１２が回転して記録紙９の先端部９ａを送り出す際に、この記録紙９をプリンタ本体部７がプラテンローラ１２に押し付けながら、記録紙９に情報を印字するように構成されている。
【００２８】
ところで、このプリンタ装置６が位置する機器本体１の箇所には、図２〜図６に示すように、パッキン配置溝１５がプリンタ装置６を囲うように環状に連続して設けられている。このパッキン配置溝１５内には、パッキン１６が配置されていると共に、このパッキン１６と共にアンテナ１７がループ形状をなして配置されている。
【００２９】
この場合、パッキン配置溝１５は、図４〜図６に示すように、断面が矩形状の凹部状に形成され、図３および図４に示すように、記録紙カバー１０の下部周縁が対応する下部ケース３の上端部３ａおよび両側部３ｂの各上部と、プリンタカバー１３が配置される上部ケース２の上端部２ａとに亘って、ほぼ四角形状の枠状に連続して設けられている。
【００３０】
パッキン１６は、絶縁性を有する弾性材料、例えば、ウレタンゴム、ニトリルブタジエンゴム（ＮＢＲ）、ブチルゴム（ＩＩＲ）、フッ化ビニリデン系フッ素ゴム（ＦＫＭ）などのエラストマからなり、図５および図６に示すように、断面形状がパッキン配置溝１５の内面に内接するほぼ楕円形状の線状に形成され、パッキン配置溝１５内に連続して配置されるように構成されている。
【００３１】
アンテナ１７は、図４〜図６に示すように、銅やアルミニウムなどの導電性を有する金属製の細線であり、パッキン配置溝１５の底部とパッキン１６との間に位置する角部に配置された状態で、パッキン配置溝１５内に連続して配置されている。この場合、アンテナ１７は、図示しないが、パッキン配置溝１５内に複数回巻かれた状態で、全体がループ形状をなすように構成されていることが望ましい。
【００３２】
また、このアンテナ１７は、図５および図７に示すように、その両端の各リード部１７ａがパッキン配置溝１５に設けられた切欠部１５ａから機器本体１内に引き出され、この引き出された各リード部１７ａが図２および図３に示すように機器本体１内の電子回路（図示せず）に導かれて電気的に接続されるように構成されている。
【００３３】
これにより、このアンテナ１７は、プリンタ装置６の上方に、後述するデータキャリア（図示せず）が近づけられると、このデータキャリアに発生した電磁誘導を感知し、データキャリアとの間でデータを送受信するように構成されている。この場合、データキャリアは、非接触型の自動認識機能を搭載したものであり、機器本体１のアンテナ１７に近づけると、電磁誘導が発生することにより、機器本体１との間で送受信を行ってデータの授受を行うように構成されている。このようなデータキャリアとしては、例えば、タグ、無線式ＩＤ（ＲＦＩＤ）、非接触型ＩＣカードなどである。
【００３４】
この場合、パッキン１６は、図４に示すように、プリンタカバー１３および記録紙カバー１０にそれぞれ設けられた押圧突起部１８によってパッキン配置溝１５内に押し付けられるように構成されている。すなわち、このパッキン１６は、図８（ｂ）に示すように、プリンタカバー１３が機器本体１の上部ケース２の上端部２ａに配置されると、このプリンタカバー１３の下面に設けられた押圧突起部１８によってパッキン配置溝１５内に押し付けられて弾性変形することにより、プリンタカバー１３と上部ケース２との間の防滴性を確保するように構成されている。
【００３５】
同様に、このパッキン１６は、図４に示すように、記録紙カバー１０が機器本体１の記録紙収納部８の空間部８ａを塞いで機器本体１にロックされると、図８（ｂ）に示すように、この記録紙カバー１０の下面に設けられた押圧突起部１８によってパッキン配置溝１５内に押し付けられて弾性変形することにより、記録紙カバー１３と下部ケース３との間の防滴性を確保するように構成されている。
【００３６】
このように、この携帯情報端末機のアンテナ構造によれば、機器本体１と、この機器本体１にほぼ環状に連続して設けられたパッキン配置溝１５と、このパッキン配置溝１５内に配置されたパッキン１６と、このパッキン１６と共にパッキン配置溝１５に配置されてループ形状をなすアンテナ１７とを備えた構成であるから、機器本体１にほぼ環状に連続して設けられたパッキン配置溝１５に、パッキン１６と共にアンテナ１７をループ形状に配置することができ、これにより簡単な構造で、アンテナ１７を機器本体１にコンパクトに組み込むことができる。
【００３７】
すなわち、このアンテナ構造では、機器本体１のパッキン配置溝１５内にアンテナ１７を配置し、このアンテナ１７の両端の各リード部１７ａをパッキン配置溝１５の切欠部１５ａから機器本体１内に導いて機器本体１内の電子回路（図示せず）に接続し、この状態でパッキン配置溝１５内にパッキン１６を配置することにより、アンテナ１７を機器本体１に簡単に且つ容易に組み込むことができる。
【００３８】
この場合、アンテナ１７は、導電性を有する金属からなる細線であり、パッキン配置溝１５の底部とパッキン１６との間に位置する角部に配置することにより、パッキン配置溝１５内にパッキン１６を配置する際に、アンテナ１７が邪魔にならず、容易に且つ良好にパッキン１６をアンテナ１７と共にパッキン配置溝１５内に配置することができる。
【００３９】
また、このアンテナ構造では、機器本体１のパッキン配置溝１５内にパッキン１６と共にアンテナ１７を配置した状態で、機器本体１の上部ケース２の上端部２ａにプリンタカバー１３を取り付けると共に、記録紙カバー１０を機器本体１の記録紙収納部８の空間部８ａを塞いで機器本体１にロックすることにより、プリンタカバー１３および記録紙カバー１０にそれぞれ設けられた押圧突起部１８によってパッキン１６をパッキン配置溝１５内に押し付けて弾性変形させることができるので、防適性をも確保することができる。
【００４０】
（実施形態２）
次に、図９〜図１３を参照して、この発明を携帯情報端末機に適用した実施形態２について説明する。なお、図１〜図８に示された実施形態１と同一部分には同一符号を付して説明する。
この携帯情報端末機は、図９に示すように、アンテナ２０が実施形態１と異なる構成であり、これ以外は実施形態１とほぼ同じ構成になっている。
【００４１】
すなわち、このアンテナ２０は、図９および図１０に示すように、フレキシブルな帯状のフィルム２１にその長手方向に沿って金属パターン２２を線状に形成した構成になっている。この場合、フィルム２１は、ポリイミドなどの耐熱性の高い合成樹脂からなり、図１１に示すように、機器本体１に設けられたパッキン配置溝１５の溝幅よりも少し短いで幅で、パッキン配置溝１５に沿って帯状に連続して形成されている。
【００４２】
金属パターン２２は、銅やアルミニウムなどの導電性を有する金属からなり、図１０および図１１に示すように、フィルム２１の幅よりも更に短い幅で、フィルム２１の長手方向に沿って連続して形成されている。このアンテナ２０は、図１１に示すように、機器本体１のパッキン配置溝１５内の底部に配置されている。
【００４３】
すなわち、このアンテナ２０は、図９および図１１に示すように、そのフィルム２１の下面がパッキン配置溝１５内の底部に接触して、金属パターン２２が上側に位置した状態で、パッキン配置溝１５内にループ形状をなして配置されている。この場合、金属パターン２２は、ほぼ環状に連続するフィルム２１上に複数回巻かれた状態で、全体がループ形状をなすように構成されていることが望ましい。
【００４４】
この場合にも、アンテナ２０は、図９および図１２に示すように、その両端の各リード部２０ａがパッキン配置溝１５に設けられた切欠部１５ａから機器本体１内に引き出され、この引き出された各リード部２０ａが図１２に示すように機器本体１内の電子回路（図示せず）に導かれて電気的に接続されるように構成されている。
【００４５】
これにより、このアンテナ２０は、プリンタ装置６の上方にデータキャリア（図示せず）が近づけられると、このデータキャリアに発生した電磁誘導を感知し、このデータキャリアとの間でデータを送受信するように構成されている。この場合にも、パッキン１６は、図１３（ａ）および図１３（ｂ）に示すように、プリンタカバー１３および記録紙カバー１０にそれぞれ設けられた押圧突起部１８によってパッキン配置溝１５内に押し付けられて弾性変形するように構成されている。
【００４６】
このような携帯情報端末機のアンテナ構造においても、実施形態１と同様、機器本体１にほぼ環状に連続して設けられたパッキン配置溝１５に、パッキン１６と共にアンテナ２０をループ形状に配置することができるので、構造が簡単で、アンテナ２０を機器本体１にコンパクトに組み込むことができる。
【００４７】
すなわち、このアンテナ構造では、機器本体１のパッキン配置溝１５内にアンテナ２０を配置し、このアンテナ２０の両端の各リード部２０ａをパッキン配置溝１５の切欠部１５ａから機器本体１内に導いて機器本体１内の電子回路（図示せず）に接続し、この状態でパッキン配置溝１５内にパッキン１６を配置することにより、アンテナ１７を機器本体１に簡単に且つ容易に組み込むことができる。
【００４８】
この場合、アンテナ２０は、フレキシブルな帯状のフィルム２１にその長手方向に沿って金属パターン２２を線状に形成した構成であるから、パッキン配置溝１５の底部に配置することができ、これによりパッキン配置溝１５内にパッキン１６を配置する際に、アンテナ２０が邪魔にならず、容易に且つ良好にパッキン１６をアンテナ２０と共にパッキン配置溝１５内に配置することができる。
【００４９】
また、このアンテナ２０は、そのフィルム２１の下面をパッキン配置溝１５内の底部に接触させて、このフィルム２１上の金属パターン２２を上側に位置させた状態で、パッキン配置溝１５内に配置されているので、パッキン１６が金属パターン２２に弾接することにより、パッキン１６が金属パターン２２を傷付けたり断線させたりすることなく、良好にアンテナ２０をパッキン１６と共にパッキン配置溝１５内に配置することができる。
【００５０】
なお、上述した実施形態２では、アンテナ２０のフィルム２１の下面をパッキン配置溝１５内の底部に接触させて、このフィルム２１上の金属パターン２２を上側に位置させた状態で、アンテナ２０をパッキン配置溝１５内に配置したが、これに限らず、アンテナ２０の金属パターン２２をパッキン配置溝１５内の底部に接触させるように下側に位置させて、フィルム２１を上側に位置させた状態で、アンテナ２０をパッキン配置溝１５内に配置しても良い。
【００５１】
このように構成すれば、パッキン配置溝１５内に配置されたパッキン１６がプリンタカバー１３および記録紙カバー１０にそれぞれ設けられた押圧突起部１８によって押し付けられて弾性変形しても、フィルム２１によって金属パターン２２を保護することができるので、パッキン１６が金属パターン２２を傷付けたり断線させたりすることなく、良好にアンテナ２０をパッキン１６と共にパッキン配置溝１５内に配置することができる。
【００５２】
（実施形態３）
次に、図１４〜図１９を参照して、この発明を携帯情報端末機に適用した実施形態３について説明する。この場合にも、図１〜図８に示された実施形態１と同一部分に同一符号を付して説明する。
この携帯情報端末機は、図１４に示すように、パッキン３０の内部にアンテナ３１を埋設させた構成であり、これ以外は実施形態１とほぼ同じ構成になっている。
【００５３】
すなわち、パッキン３０は、実施形態１と同様、絶縁性を有する弾性材料、例えば、ウレタンゴム、ニトリルブタジエンゴム（ＮＢＲ）、ブチルゴム（ＩＩＲ）、フッ化ビニリデン系フッ素ゴム（ＦＫＭ）などのエラストマからなり、図１８（ａ）および図１８（ｂ）に示すように、２色成形によって断面形状がパッキン配置溝１５の内面に内接するほぼ楕円形状の線状に形成され、パッキン配置溝１５内に連続して配置されるように構成されている。
【００５４】
アンテナ３１は、銅やアルミニウムなどの導電性を有する金属製の細線であり、図１５に示すように、パッキン３１の内部に埋設された状態で、パッキン配置溝１５内に連続して配置されている。この場合、アンテナ３１は、パッキン３０の内部に複数回巻かれた状態で、全体がループ形状をなすように構成されていることが望ましい。
【００５５】
この場合にも、アンテナ３１は、図１４および図１７に示すように、その両端の各リード部３１ａがパッキン配置溝１５に設けられた切欠部１５ａから機器本体１内に引き出され、この引き出された各リード部３１ａが図２および図３に示した実施形態１のように機器本体１内の電子回路（図示せず）に導かれて電気的に接続されるように構成されている。
【００５６】
このアンテナ３１を２色成形によってパッキン３０内に埋設する場合には、図１８（ａ）に示すように、まず、断面形状がほぼ半楕円形状をなす下側パッキン部３０ａを線状に形成する。このときには、断面形状がほぼ半楕円形状をなす下側パッキン部３０ａの平面に、断面半円形状の凹溝部３０ｃを長手方向に沿って連続して形成する。
【００５７】
この後、下側パッキン部３０ａの凹溝部３０ｃにアンテナ３１を配置し、このアンテナ３１の両端の各リード部３１ａを下側パッキン部３０ａの所定箇所から側方に引き出す。この状態で、図１８（ｂ）に示すように、断面ほぼ半楕円形状をなす下側パッキン部３０ａの平面上に、断面形状が逆向きの半楕円形状をなす上側パッキン部３０ｂを形成する。これにより、全体が断面楕円形状をなし、内部の中心にアンテナ３１が埋設されたパッキン３０が形成される。
【００５８】
この場合にも、アンテナ３１は、プリンタ装置６の上方にデータキャリア（図示せず）が近づけられると、このデータキャリアに発生した電磁誘導を感知し、このデータキャリアとの間でデータを送受信するように構成されている。この場合、パッキン３０は、図１９（ａ）および図１９（ｂ）に示すように、プリンタカバー１３および記録紙カバー１０にそれぞれ設けられた押圧突起部１８によってパッキン配置溝１５内に押し付けられて弾性変形するように構成されている。
【００５９】
このような携帯情報端末機のアンテナ構造によれば、パッキン３０の内部にアンテナ３１が埋設されているので、機器本体１にほぼ環状に連続して設けられたパッキン配置溝１５内にパッキン３０を配置することにより、これと同時にアンテナ３１をパッキン配置溝１５内にループ形状に配置することができ、これにより実施形態１と同様、構造が簡単で、アンテナ３１を機器本体１にコンパクトに組み込むことができる。
【００６０】
すなわち、このアンテナ構造では、機器本体１のパッキン配置溝１５内にパッキン３０を配置し、このパッキン３０内に埋設されたアンテナ３１の両端の各リード部３１ａをパッキン配置溝１５の切欠部１５ａから機器本体１内に導いて機器本体１内の電子回路（図示せず）に接続することにより、アンテナ３１を機器本体１に、実施形態１よりも簡単に且つ容易に組み込むことができる。
【００６１】
なお、上述した実施形態３では、アンテナ３１が断面円形状をなす線状に形成されている場合について述べたが、これに限らず、例えば図２０（ａ）および図２０（ｂ）に示す第１変形例のように、アンテナ３２を形成した構成でも良い。すなわち、この第１変形例のアンテナ３２は、実施形態２と同様、フレキシブルな帯状のフィルム２１にその長手方向に沿って金属パターン２２を帯状に形成した構成になっている。
【００６２】
この第１変形例のアンテナ３２も、実施形態３と同様、２色成形によってパッキン３０内に埋設されている。すなわち、このアンテナ３２をパッキン３０内に埋設する場合には、図２０（ａ）に示すように、まず、断面形状がほぼ半楕円形状をなす下側パッキン部３０ａを帯状に形成すると共に、この下側パッキン部３０ａの平面にアンテナ３２のフィルム２１が挿入する凹溝部３０ｃをパッキン３０の長手方向に沿って形成する。
【００６３】
この後、下側パッキン部３０ａの凹溝部３０ｃ内にアンテナ３２のフィルム２１を配置して、下側パッキン部３０ａの平面上にアンテナ３２を配置する。この状態で、アンテナ３２の両端の各リード部（図示せず）を下側パッキン部３０ａの所定箇所から側方に引き出し、図２０（ｂ）に示すように、下側パッキン部３０ａの平面上に、断面形状が逆向きの半楕円形状をなす上側パッキン部３０ｂを形成する。これにより、全体が断面楕円形状をなし、内部の中心にアンテナ３２が埋設されたパッキン３０が形成される。
【００６４】
このようなアンテナ構造においても、実施形態３と同様、パッキン３０の内部にアンテナ３２が埋設されているので、機器本体１にほぼ環状に連続して設けられたパッキン配置溝１５内にパッキン３０を配置することにより、これと同時にアンテナ３２をパッキン配置溝１５内にループ形状に配置することができ、これにより簡単な構造で、アンテナ３２を機器本体１にコンパクトに組み込むことができる。
【００６５】
また、上述した第１変形例では、パッキン３０の内部にアンテナ３２を埋設した場合について述べたが、これに限らず、例えば図２１（ａ）および図２１（ｂ）に示す第２変形例のように、パッキン３０の外面にアンテナ３２を設けた構成であっても良い。
【００６６】
この場合には、アンテナ３２のフレキシブルな帯状のフィルム２１に形成された金属パターン２２をパッキン３０の外面に接触させた状態で、帯状のフィルム２１をパッキン３０の外面にその長手方向に沿って連続させて貼り付ければ良い。この場合、パッキン３０の外面には、金属パターン２２が挿入して配置される凹溝部３０ｃがパッキン３０の長手方向に沿って連続して設けられていることが望ましい。
【００６７】
このようなアンテナ構造においても、上述した第１変形例と同様、機器本体１にほぼ環状に連続して設けられたパッキン配置溝１５内にパッキン３０を配置することにより、これと同時にアンテナ３２をパッキン配置溝１５内にループ形状に配置することができるので、これによっても簡単な構造で、アンテナ３２を機器本体１にコンパクトに組み込むことができる。
【００６８】
また、このアンテナ構造では、アンテナ３２の金属パターン２２をパッキン３０の凹溝部３０ａ内に配置させて、フィルム２１をパッキン３０の外面に貼り付けているので、パッキン１６がフィルム２１に弾接しても、パッキン３０が金属パターン２２を傷付けたり断線させたりすることなく、良好にアンテナ３２をパッキン３０と共にパッキン配置溝１５内に配置することができる。
【００６９】
（実施形態４）
次に、図２２〜図２４を参照して、この発明を携帯情報端末機に適用した実施形態４について説明する。この場合にも、図１〜図８に示された実施形態１と同一部分に同一符号を付して説明する。
この携帯情報端末機は、図２３に示すように、パッキン４０がアンテナ機能を有する構成であり、これ以外は実施形態１とほぼ同じ構成になっている。
【００７０】
すなわち、このパッキン４０は、図２２および図２３に示すように、絶縁性を有するエラストマ樹脂４１中に導電性物質４２を混入させた構成である。エラストマ樹脂４１は、実施形態１と同様、絶縁性を有する弾性材料、例えば、ウレタンゴム、ニトリルブタジエンゴム（ＮＢＲ）、ブチルゴム（ＩＩＲ）、フッ化ビニリデン系フッ素ゴム（ＦＫＭ）などのエラストマである。
【００７１】
導電性物質４２は、鉄、金、銅、アルミニウム、コバルト、ニッケルなどの導電性を有する金属粉末、あるいはカーボンなどの非金属粉末などであり、エラストマ樹脂４１中に混入されてアンテナとしての機能を果たすように構成されている。この場合、導電性物質４２は、エラストマ樹脂４１中に混入される混入量が多くなると、パッキン４０の弾力性が低下し、また混入量が少ないと、アンテナとしての機能が低下するため、導電性物質４２の導電率に応じて、エラストマ樹脂４１に対して適量（例えば４０％〜７０％程度）混入されていることが望ましい。
【００７２】
このようなアンテナ機能を有するパッキン４０も、実施形態１と同様、機器本体１に設けられたパッキン配置溝１５内に環状に連続して配置されるように構成されている。すなわち、このパッキン４０は、図２２〜図２４に示すように、断面形状がパッキン配置溝１５の内面に内接するほぼ楕円形状の線状に形成され、パッキン配置溝１５内に連続して配置されるように構成されている。
【００７３】
また、このパッキン４０は、図２２および図２３に示すように、その両端部４０ａがパッキン配置溝１５に設けられた切欠部１５ａから機器本体１内に引き出され、この引き出された両端部４０ａが、図２および図３に示した実施形態１と同様に、機器本体１内の電子回路（図示せず）に導かれて電気的に接続されるように構成されている。
【００７４】
これにより、アンテナ機能を有するパッキン４０は、実施形態１と同様、プリンタ装置６の上方にデータキャリア（図示せず）が近づけられると、このデータキャリアに発生した電磁誘導を感知し、データキャリアとの間でデータを送受信するように構成されている。この場合にも、パッキン４０は、図２４（ａ）および図２４（ｂ）に示すように、プリンタカバー１３および記録紙カバー１０にそれぞれ設けられた押圧突起部１８によってパッキン配置溝１５内に押し付けられて弾性変形するように構成されている。
【００７５】
このような携帯情報端末機のアンテナ構造によれば、パッキン４０がアンテナ機能を有しているので、機器本体１にほぼ環状に連続して設けられたパッキン配置溝１５内にパッキン４０をループ形状に配置することにより、このパッキン４０によってループ形状のアンテナ機能をもたせることができ、これにより実施形態１よりも、構造が簡単で、アンテナを機器本体１にコンパクトに組み込むことができる。
【００７６】
すなわち、このアンテナ構造では、パッキン４０が絶縁性を有するエラストマ樹脂４１中に導電性物質４２を混入させた構成であるから、機器本体１にほぼ環状に連続して設けられたパッキン配置溝１５内にパッキン４０をループ形状に配置することにより、プリンタ装置６の上方にデータキャリア（図示せず）が近づけられると、データキャリアに発生した電磁誘導を感知し、このデータキャリアとの間でデータを送受信してデータの授受を行うことができる。
【００７７】
この場合、パッキン４０は、プリンタカバー１３および記録紙カバー１０にそれぞれ設けられた押圧突起部１８によってパッキン配置溝１５内に押し付けられて弾性変形するように構成されていることにより、防適性を確保することができるほか、押圧突起部１８によって押し付けられた箇所におけるパッキン４０中の導電性物質４２の密度が高くなるので、アンテナとしての機能を十分に高めることができる。
【００７８】
（実施形態５）
次に、図２５〜図２７を参照して、この発明を携帯情報端末機に適用した実施形態５について説明する。この場合にも、図１〜図８に示された実施形態１と同一部分に同一符号を付して説明する。
この携帯情報端末機は、図２６に示すように、機器本体１に設けられたパッキン配置溝５０が実施形態１と異なる構成であり、これ以外は実施形態１とほぼ同じ構成になっている。
【００７９】
すなわち、この機器本体１の裏面には、図２５および図２６に示すように、電池５１を収納する電池収納部５２が設けられている。この電池収納部５２には、電池蓋５３が着脱可能に取り付けられている。この電池蓋５３が取り付けられる電池収納部５２の開口部５２ａの周縁には、図２６に示すように、パッキン配置溝５０が枠状に連続して設けられている。このパッキン配置溝５０内には、実施形態１と同様、パッキン１６が配置されていると共に、アンテナ１７がループ形状をなして配置されている。
【００８０】
この場合、パッキン配置溝５０は、図２５および図２６に示すように、断面が矩形状の凹部状に形成され、機器本体１の下部ケース３に電池収納部５２の開口部５２ａの周縁に沿ってほぼ四角形状の枠状に連続して設けられている。パッキン１６は、実施形態１と同様、絶縁性を有する弾性材料からなり、断面形状がパッキン配置溝５０の内面に内接するほぼ楕円形状の線状に形成され、パッキン配置溝５０内に連続して配置されるように構成されている。
【００８１】
アンテナ１７は、実施形態１と同様、銅やアルミニウムなどの導電性を有する金属からなる細線であり、パッキン配置溝５０の底部とパッキン１６との間に位置する角部に配置された状態で、パッキン配置溝５０内に連続して配置されている。この場合にも、アンテナ１７は、図示しないが、パッキン配置溝５０内に複数回巻かれた状態で、全体がループ形状をなすように構成されていることが望ましい。
【００８２】
また、このアンテナ１７は、実施形態１と同様、その両端の各リード部（図示せず）が機器本体１内の電子回路（図示せず）に導かれて電気的に接続されるように構成されている。これにより、このアンテナ１７は、電池蓋５３にデータキャリア（図示せず）が近づけられると、このデータキャリアに発生した電磁誘導を感知し、データキャリアとの間でデータを送受信するように構成されている。
【００８３】
この場合、パッキン１６は、図２７（ａ）および図２７（ｂ）に示すように、電池蓋５３に設けられた押圧突起部５４によってパッキン配置溝５０内に押し付けられて弾性変形することにより、電池収納部５２と電池蓋５３との防滴性を確保するように構成されている。
【００８４】
このような携帯情報端末機のアンテナ構造においても、機器本体１のパッキン配置溝５０内にアンテナ１７を配置して機器本体１内の電子回路（図示せず）に接続し、この状態でパッキン配置溝５０内にパッキン１６を配置することにより、実施形態１と同様、機器本体１にほぼ環状に連続して設けられたパッキン配置溝５０に、パッキン１６と共にアンテナ１７を配置することができ、これにより構造が簡単で、アンテナ１７を機器本体１にコンパクトに組み込むことができる。
【００８５】
なお、上述した実施形態５では、アンテナ１７が断面円形状の細線である場合について述べたが、これに限らず、例えば実施形態２で述べたように、フレキシブルな帯状のフィルム２１にその長手方向に沿って金属パターン２２を線状に形成したアンテナ２０を用いても良く、またこれに限らず、実施形態３で述べたように、断面円形状の細線からなるアンテナ３１をパッキン３０の内部に埋設した構成でも良い。
【００８６】
また、これに限らず、例えば実施形態３の第１変形例で述べたように、フレキシブルな帯状のフィルム２１にその長手方向に沿って金属パターン２２を線状に形成したアンテナ３２をパッキン３０の内部に埋設した構成でも良く、また実施形態３の第２変形例で述べたように、フレキシブルな帯状のフィルム２１にその長手方向に沿って金属パターン２２を線状に形成したアンテナ３２をパッキン３０の外表面に設けた構成でも良い。
【００８７】
さらに、これらに限らず、例えば実施形態４で述べたように、絶縁性を有するエラストマ樹脂４１中に導電性物質４２を混入させて、アンテナ機能をパッキン４０にもたせ、このパッキン４０をパッキン配置溝５０内に連続させて配置した構成であっても良い。
【００８８】
（実施形態６）
次に、図２８〜図３０を参照して、この発明を携帯情報端末機に適用した実施形態６について説明する。この場合にも、図１〜図８に示された実施形態１と同一部分に同一符号を付して説明する。
この携帯情報端末機は、図２９に示すように、機器本体１の上部ケース２と下部ケース３とが接合する箇所における上部ケース２にパッキン配置溝６０を設けた構成であり、これ以外は実施形態１とほぼ同じ構成になっている。
【００８９】
すなわち、機器本体１の上部ケース２と下部ケース３とが接合する部分とは、図２８に示すように、上部ケース２の外周に位置する下端部と、下部ケース３の外周に位置する上端部とが互いに対応する部分である。パッキン配置溝６０は、上部ケース２の外周に位置する下端部にその外周に沿って環状に連続して設けられている。
【００９０】
このパッキン配置溝６０内には、実施形態１と同様、パッキン１６が配置されていると共に、アンテナ１７がループ形状をなして配置されている。この場合にも、パッキン配置溝６０は、図２９に示すように、断面が矩形状の凹部状に形成され、機器本体１の上部ケース２の外周に沿ってほぼ長方形状の枠状に連続して設けられている。
【００９１】
パッキン１６は、実施形態１と同様、絶縁性を有する弾性材料からなり、断面形状がパッキン配置溝６０の内面に内接するほぼ楕円形状の線状に形成され、パッキン配置溝５０内に連続して配置されるように構成されている。アンテナ１７は、実施形態１と同様、導電性を有する金属からなる細線であり、パッキン配置溝６０の底部とパッキン１６との間に位置する角部に配置された状態で、パッキン配置溝６０内に連続して配置されている。
【００９２】
この場合にも、アンテナ１７は、パッキン配置溝６０内に複数回巻かれた状態で、全体がループ形状をなすように構成されていることが望ましい。また、このアンテナ１７は、図２９に示すように、その両端の各リード部１７ａがパッキン配置溝６０の切欠部６０ａを通して機器本体１内の電子回路（図示せず）に導かれて電気的に接続されるように構成されている。
【００９３】
これにより、このアンテナ１７は、機器本体１の上面にデータキャリア（図示せず）が近づけられると、このデータキャリアに発生した電磁誘導を感知し、データキャリアとの間でデータを送受信するように構成されている。この場合、パッキン１６は、図３０（ａ）および図３０（ｂ）に示すように、下部ケース３に設けられた押圧突起部６１によってパッキン配置溝６０内に押し付けられて弾性変形することにより、上部ケース２と下部ケース３との間の防滴性を確保するように構成されている。
【００９４】
このような携帯情報端末機のアンテナ構造においても、機器本体１の上部ケース２にその外周に沿って設けられたパッキン配置溝６０内にアンテナ１７を配置して機器本体１内の電子回路（図示せず）に接続し、この状態でパッキン配置溝６０内にパッキン１６を配置することにより、実施形態１と同様、機器本体１にほぼ環状に連続して設けられたパッキン配置溝６０に、パッキン１６と共にアンテナ１７をループ形状に配置することができ、これにより構造が簡単で、アンテナ１７を機器本体１にコンパクトに組み込むことができる。
【００９５】
なお、上述した実施形態６では、アンテナ１７が断面円形状の細線である場合について述べたが、これに限らず、例えば実施形態２で述べたように、フレキシブルな帯状のフィルム２１にその長手方向に沿って金属パターン２２を線状に形成したアンテナ２０を用いても良く、またこれに限らず、実施形態３で述べたように、断面円形状の細線からなるアンテナ３１をパッキン３０の内部に埋設した構成でも良い。
【００９６】
また、これに限らず、例えば実施形態３の第１変形例で述べたように、フレキシブルな帯状のフィルム２１にその長手方向に沿って金属パターン２２を線状に形成したアンテナ３２をパッキン３０の内部に埋設した構成でも良く、また実施形態３の第２変形例で述べたように、フレキシブルな帯状のフィルム２１にその長手方向に沿って金属パターン２２を線状に形成したアンテナ３２をパッキン３０の外面に設けた構成でも良い。
【００９７】
さらに、これらに限らず、例えば実施形態４で述べたように、絶縁性を有するエラストマ樹脂４１中に導電性物質４２を混入させて、アンテナ機能をパッキン４０にもたせ、このパッキン４０をパッキン配置溝６０内に配置した構成であっても良い。
【００９８】
なおまた、上述した実施形態１〜６およびその各変形例では、携帯情報端末機（ＰＤＡ：パーソナル・デジタル・アシスタント）に適用した場合について述べたが、必ずしも携帯情報端末機である必要はなく、例えば携帯電話機、パーソナルコンピュータ、電子レジスタなどの各種の電子機器に広く適用することができる。
【符号の説明】
【００９９】
１  機器本体
２  上部ケース
３  下部ケース
６  プリンタ装置
７  プリンタ本体部
８  記録紙収納部
１５、５０、６０  パッキン配置溝
１６、３０、４０  パッキン
１７、２０、３１、３２  アンテナ
１８、５４、６１  押圧突起部
２１  フィルム
２２  金属パターン
４１  エラストマ樹脂
４２  導電性物質
【図１】
2011151447.tif 000003
【図２】
2011151447.tif 000004
【図３】
2011151447.tif 000005
【図４】
2011151447.tif 000006
【図５】
2011151447.tif 000007
【図６】
2011151447.tif 000008
【図７】
2011151447.tif 000009
【図８】
2011151447.tif 000010
【図９】
2011151447.tif 000011
【図１０】
2011151447.tif 000012
【図１１】
2011151447.tif 000013
【図１２】
2011151447.tif 000014
【図１３】
2011151447.tif 000015
【図１４】
2011151447.tif 000016
【図１５】
2011151447.tif 000017
【図１６】
2011151447.tif 000018
【図１７】
2011151447.tif 000019
【図１８】
2011151447.tif 000020
【図１９】
2011151447.tif 000021
【図２０】
2011151447.tif 000022
【図２１】
2011151447.tif 000023
【図２２】
2011151447.tif 000024
【図２３】
2011151447.tif 000025
【図２４】
2011151447.tif 000026
【図２５】
2011151447.tif 000027
【図２６】
2011151447.tif 000028
【図２７】
2011151447.tif 000029
【図２８】
2011151447.tif 000030
【図２９】
2011151447.tif 000031
【図３０】
2011151447.tif 000032